(57)【要約】【課題】伸縮性の良い素材を採用することにより着せやすく、愛玩犬にとって着心地のよい愛玩犬用衣服を提供する。【解決手段】緯編み機で編成された編布を素材として、愛玩犬の前身ごろ１、後身ごろ２および脇身ごろ３を、袖刳り、襟刳りができるように形成し、これら形成した編布を縫製し、アームホール４には袖６を、ネックホール５には襟７を縫合してなり、上記袖は、丸編み機により筒編みし、袖口にゴム編みや飾り編みを施した袖部材を縫合してなる。【選択図】図１
2006115708.tif 000002
【特許請求の範囲】
【請求項１】
緯編み機で編成された編布を素材として、愛玩犬の前身ごろ、後身ごろおよび脇身ごろを、袖刳り、襟刳りができるように形成し、これら形成した編布を縫製し、アームホールには袖を、ネックホールには襟を縫合してなる愛玩犬用上着。
【請求項２】
上記袖は丸編み機により筒編みし、袖口にゴム編み、または飾り編みを施した袖部材を縫合してなる請求項１に記載の愛玩犬用上着。
【請求項３】
展開形状の愛玩犬用のパンツの編布を緯編み機により編成し、この編布を縫製して後足と尻尾とを出す孔を形成してなる愛玩犬用パンツ。
【請求項４】
丸編み機で筒編した編布の長手方向に切り開き、愛玩犬用のパンツの展開形状に裁断し、この編布を縫製して後足と尻尾とを出す孔を形成してなる愛玩犬用パンツ。
【請求項５】
上記愛玩犬用パンツの股間部分内面に、生理用パット保持部を形成してなる請求項３又は４に記載の愛玩犬用パンツ。
【発明の詳細な説明】
【技術分野】
【０００１】
この発明は愛玩犬用衣服であって、緯編み機、とりわけ丸編み機により編成された編布を素材として縫製された愛玩犬用衣服に関する。
【背景技術】
【０００２】
近年愛玩犬を多くの人々が飼育するようになり、飼育状況もエスカレートして、家族と同様に扱い、衣服を着せるようにまでなっている。
【０００３】
こうして愛玩犬に着せられている衣服をみると、通常の織布、防水布、合成皮革あるいは経編み機で編成された編布などを裁断して縫製されたもので、それらを手に取ってみると伸縮性が不十分で着せ難く、前身ごろを前合わせにして面ファスナーで止めるようにしており、愛玩犬にしてみれば着心地の悪いものであった。
【発明の開示】
【発明が解決しようとする課題】
【０００４】
上記の状況に鑑みこの発明は、伸縮性の良い素材を採用することにより着せやすく、愛玩犬にしてみれば着心地のよい愛玩犬用衣服を提供することを課題とする。
【課題を解決するための手段】
【０００５】
上記課題を解決するためにこの発明は、緯編み機で編成された編布を素材として、愛玩犬の前身ごろ、後身ごろおよび脇身ごろを、袖刳り、襟刳りができるように形成し、これら形成した編布を縫製し、アームホールには袖を、ネックホールには襟を縫合し（請求項１）てなり、上記袖は丸編み機により筒編みし、袖口にゴム編み、または飾り編みを施した袖部材を縫合してなる（請求項２）ものと、展開形状の愛玩犬用のパンツの編布を緯編み機により編成し、この編布を縫製して後足と尻尾とを出す孔を形成(請求項３）するか、丸編み機で筒編した編布の長手方向に切り開き、愛玩犬用のパンツの展開形状に裁断し、この編布を縫製して後足と尻尾とを出す孔を形成してなり（請求項４）、上記パンツの股間部分内面に、生理用パット保持部を形成してなる（請求項５）ものである。
【発明の効果】
【０００６】
上記の如く構成するこの発明によれば、伸縮性が良好で愛玩犬に衣服を着せやすくなり、愛玩犬にしてみれば着心地のよいものとなる。また、上着においては、前身ごろを、前合わせにする必要が無くなる。
【発明を実施するための最良の形態】
【０００７】
次にこの発明の実施の形態を、図面を参照しながら説明する。この愛玩犬用上着の素材は、緯編み機、例えば丸編み機により編成された編布としており、その編布は無地でもよいが、編成時に色違いの糸を適宜入れ替え、あるいは編み針を適宜操作して模様編みすることができる。
【０００８】
上記のようにして編成された編布を図１に示すように愛玩犬の体型に合わせ、袖刳りと襟刳りが形成されるように前身ごろ１、後身ごろ２および脇身ごろ３を形取りして裁断し、それぞれを縫製する。なお、上記各身ごろを編成するとき、編み機に書き込まれたプログラムにより所定の形に編成することができる。
【０００９】
上記縫製によって袖刳りのところにはアームホール４が形成され、襟刳りのところにはネックホール５が形成される。
【００１０】
上記アームホール４には、丸編み機により筒編みした素材をアームホールに合わせて斜めに裁断した袖材を縫合して袖６とし、ネックホール５には平編みの素材を折り返して二重にし、両端を縫合して襟材とし、これをネックホール５に縫合して襟７とする。
【００１１】
上記袖６の編成時に、丸編み機に書き込んだプログラムにより編み針を適宜操作して袖口をゴム編み、飾り編みとし、アームホールに縫合する部分は、アームホールに合った形状に編成することができる。
【００１２】
上記縫製あるいは縫合した縁には、公知の技術によりかがり縫いを施して、編成された編み糸が解れないようにする。
【００１３】
図２は、上記のようにして得た愛玩犬用上着を示し、同図（ａ）は後身ごろから見た状態、同図（ｂ）は前身ごろから見た状態を示し、図３（ａ）は斜視図で、同図（ｂ）は愛玩犬にこの発明に係る上着を着せた状態である。
【００１４】
図４は愛玩犬用パンツ１０で、丸編み機で筒編した編布１１を長手方向に切り開き、愛玩犬用のパンツ１０の展開形状に裁断し、この編布１１を縫製して後足を出す孔１２と尻尾を出す孔１３を形成したものである。
【００１５】
切り開いた編布１１の長さは、犬の腹から股間を経て背中に至る長さであり、犬の後足が位置するところを刳り取り、背中の部分は尻尾の位置までスリット１４を入れ、スリット１４の最奥で尻尾を出す孔１３を設ける。
【００１６】
上記のように裁断した編布１１を腹の部分と背中の部分とを折り畳んで縫合し、尻尾を出す孔１３から始まるスリット１４は、縁取り１５をして縫合するか、その部分にファスナ（図示せず）を取り付けて着脱可能にし、また、後足を出す孔１２の周りにも縁取り１６を施す。なお、上記縁取りに代えてゴム編みを施してもよい。また、上記愛玩犬用パンツの股間部分内面にはネット１７を縫いつけ、生理用パット１８のホルダとすることができる。
【００１７】
図５は愛玩犬用パンツの別の実施例である。丸編み機で筒編みした編布１１を切り開き、前部編布１１ａと後部編布１１ｂを股刳り１２ａ、１２ｂができるように、また後部編布１１ｂの股刳り部分中央からスリット１４を入れその奥に尻尾を出す孔１３が開くように裁断し、上記スリット１４から尻尾を出す孔１３に亘って縁取り１５を施し、前部編布１１ａ、後部編布１１ｂを股刳り部分の端を互いに縫い合わせ、さらに股刳り１２ａ、１２ｂに縁取り１６を施す。
【００１８】
上記のように縫合した前部編布１１ａの裏側股刳り部分にネット１７を縫いつけて生理用パット（図示せず）を挿入するポケット１９を形成する。
【００１９】
上記のように裁断し、縫い合わせた展開形状の前部編布１１ａ、後部編布１１ｂを折り畳んで両サイドを縫合し、腰回りにゴム紐（図示せず）などを通して完成する。なお、前部編布１１ａ、後部編布１１ｂを編成するとき、腰回りの縁にゴム編みを編成することもできる。
【産業上の利用可能性】
【００２０】
以上説明したようにこの発明によれば緯編み機により編成された編布を素材として愛玩犬の衣服を製作しているので、伸縮性が良好で着せやすく、前身ごろを前合わせにする必要が無くなり、愛玩犬の側から察するに伸縮性がよく着心地のよいものとなる。従って、従来のものに比較して売れ行きが良好になり産業上の利用価値が極めて大きいものである。
【図面の簡単な説明】
【００２１】
【図１】本発明に係る愛玩犬用上着の（ａ）襟周り、袖周りおよび後身ごろの説明図、（ｂ）前身ごろと脇身ごろの説明図
【図２】同（ａ）後身ごろから見た状態図、（ｂ）前身ごろから見た状態図
【図３】（ａ）同斜視図、（ｂ）愛玩犬に着せた状態図
【図４】本発明に係る愛玩犬用パンツの（ａ）斜視図、（ｂ）着せた状態の斜視図
【図５】同愛玩犬用パンツの他の実施例の（ａ）編布の表側展開図、（ｂ）同裏側展開図
【符号の説明】
【００２２】
１  前身ごろ
２  後身ごろ
３  脇身ごろ
４  アームホール
５  ネックホール
６  袖
７  襟
１０  パンツ
１１  編布
１１ａ前部編布
１１ｂ  後部編布
１２  後足を出す孔
１２ａ、１２ｂ  股刳り
１３  尻尾を出す孔
１４  スリット
１５  縁取り（尻尾を出す孔の）
１６  縁取り（後足を出す孔の）
１７  ネット
１８  パット
１９  ポケット
【図１】
2006115708.tif 000003
【図２】
2006115708.tif 000004
【図３】
2006115708.tif 000005
【図４】
2006115708.tif 000006
【図５】
2006115708.tif 000007